(57)【要約】【課題】言葉を発せられない状況下であっても現在位置を特定させるための情報を通報先に送信し得る移動端末を提供する。【解決手段】予め規定された所定の領域を特定可能な領域特定用データＤ１を記憶すると共に所定の領域に対応付けられた現在位置報知用データＤ２を記憶する記憶部１３と、現在位置報知用データＤ２を音声データＤｖに変換するデータ変換部１６と、音声データＤｖを送信する無線通信部１１と、取得した現在位置が属する所定の領域を領域特定用データＤ１に基づいて特定すると共にデータ変換部１６を制御して特定した領域に対応付けられている現在位置報知用データＤ２を音声データＤｖに変換させ、かつ変換された音声データＤｖを無線通信部１１を制御して送信させる制御部１７とを備えている。【選択図】図２
2006148394.tif 000002
【特許請求の範囲】
【請求項１】
予め規定された所定の領域を特定可能な領域特定用データを記憶すると共に当該所定の領域に対応付けられた現在位置報知用データを記憶する記憶部と、
前記現在位置報知用データを音声データに変換するデータ変換部と、
前記音声データを送信する通信部と、
取得した現在位置が属する前記所定の領域を前記領域特定用データに基づいて特定すると共に前記データ変換部を制御して当該特定した領域に対応付けられている前記現在位置報知用データを前記音声データに変換させ、かつ前記変換された音声データを前記通信部を制御して送信させる制御部とを備えている移動端末。
【請求項２】
所定のメッセージデータを送信するための送信スイッチを備え、
前記記憶部は、前記メッセージデータを前記送信スイッチに対応付けて記憶し、
前記制御部は、前記送信スイッチの操作に応じて前記データ変換部を制御して前記メッセージデータおよび前記現在位置報知用データを音声データに変換させると共に前記通信部を制御して当該音声データを送信させる請求項１記載の移動端末。
【請求項３】
複数の測位用衛星からの各測位用信号に基づいて現在位置を測位する測位処理部を備えている請求項１または２記載の移動端末。
【請求項４】
受信した電子メールのメッセージを表示する表示部を備え、
前記記憶部は、当該移動端末に付与された電子メールアドレスについてのアドレスデータを記憶し、
前記制御部は、前記記憶部に記憶されている前記アドレスデータを前記通信部を制御して前記音声データと共に送信させると共に、前記通信部を介して前記電子メールアドレス宛の電子メールを受信したときに当該受信した電子メールのメッセージを前記表示部に表示させる請求項１から３のいずれかに記載の移動端末。
【請求項５】
音声データの送信による緊急通報が可能に構成された移動端末と、当該移動端末から送信された前記音声データを受信可能に構成された通報先設備とを備えた緊急通報システムであって、
前記移動端末は、所定の領域を特定可能な領域特定用データを記憶すると共に当該所定の領域に対応付けられた現在位置報知用データを記憶する記憶部と、
前記現在位置報知用データを前記音声データに変換するデータ変換部と、
前記音声データを送信する通信部と、
取得した現在位置が属する前記所定の領域を前記領域特定用データに基づいて特定すると共に前記データ変換部を制御して当該特定した領域に対応付けられている前記現在位置報知用データを前記音声データに変換させ、かつ前記変換された音声データを前記通信部を制御して送信させる制御部とを備えて構成されている緊急通報システム。
【請求項６】
前記移動端末は、受信した電子メールのメッセージを表示する表示部を備え、
前記記憶部は、当該移動端末に付与された電子メールアドレスについてのアドレスデータを記憶し、
前記制御部は、前記通信部を制御して前記記憶部から読み出した前記アドレスデータを前記音声データと共に前記通報先設備に向けて送信させると共に当該通信部を介して前記電子メールアドレス宛の電子メールを受信したときに当該受信した電子メールのメッセージを前記表示部に表示させ、
前記通報先設備は、前記移動端末から送信された前記アドレスデータに対応する前記電子メールアドレスに宛てて、緊急通報を受信した旨のメッセージを含む前記電子メールを送信可能に構成されている請求項５記載の緊急通報システム。
【発明の詳細な説明】
【技術分野】
【０００１】
本発明は、音声データの送信による緊急通報が可能に構成された移動端末と、その移動端末および通報先設備を有する緊急通報システムとに関するものである。
【背景技術】
【０００２】
この種の移動端末として、緊急コール機能付き電話機が特開平５−３００２６４号公報に開示されている。この緊急コール機能付き電話機（以下、「電話機」ともいう）は、電話機の本体部とは別体に構成されて携帯可能に構成された救急コール発信機を備えている。この電話機では、救急コール発信機の救急コールボタンが操作されたときに、救急コール発信機の発信器が所定の電波を発信する。この際に、電話機（本体部）の電波受信器は、救急コール発信機から発信された所定の電波を受信して救急コール受信部に送信する。また、救急コール受信部は、受信した電波がいずれの救急コールボタンの操作に応じて発信されたものかを判定して判定結果を出力する。これに応じて、送受話回路が電話番号発生器を制御して予め規定された手順に従って電話番号を送信させ、電話回線の接続が確立された際に（通話可能となったときに）再生装置を制御して、予め録音されているメッセージを再生させる。これにより、例えば依頼内容、住所および氏名などが繰り返して再生されて通話先に伝達される。
【特許文献１】特開平５−３００２６４号公報
【発明の開示】
【発明が解決しようとする課題】
【０００３】
ところが、従来の電話機には、以下の問題点がある。すなわち、従来の電話機では、救急コール発信機の救急コールボタンが操作されたときに再生装置によってメッセージが再生されて通話先に伝達される。この場合、再生装置が予め録音されたメッセージを再生するこの電話機では、通話（緊急通報）の都度変化する現在位置についての情報を伝達することが困難である。このため、従来の電話機には、例えば、利用者が聾唖者であって、外出先において病状が悪化して救急車の出動を依頼しようとしても、いずれの場所に居るのかを伝達することができないという問題点がある。また、従来の電話機では、例えば通報者が聾唖者であったとしても、再生装置によって所定のメッセージを再生することで、例えば、依頼内容、住所および氏名などのメッセージを通話先に伝達することが可能となっている。しかし、従来の電話機では、耳の不自由な者が通報者のときには、通話先のオペレータがメッセージを正常に受領した旨を返答したとしても、オペレータの返答を聞き取ることができないため、メッセージ（通報内容）が正常に受領されたか否かを認識することができないという問題点もある。
【０００４】
本発明は、かかる問題点に鑑みてなされたものであり、言葉を発せられない状況下であっても現在位置を特定させるための情報を通報先に送信し得る移動端末および緊急通報システムを提供することを主目的とする。また、耳の不自由な利用者に対しても通報内容が正常に受領されたか否かを容易に認識させ得る移動端末および緊急通報システムを提供することを他の目的とする。
【課題を解決するための手段】
【０００５】
上記目的を達成すべく本発明に係る移動端末は、予め規定された所定の領域を特定可能な領域特定用データを記憶すると共に当該所定の領域に対応付けられた現在位置報知用データを記憶する記憶部と、前記現在位置報知用データを音声データに変換するデータ変換部と、前記音声データを送信する通信部と、取得した現在位置が属する前記所定の領域を前記領域特定用データに基づいて特定すると共に前記データ変換部を制御して当該特定した領域に対応付けられている前記現在位置報知用データを前記音声データに変換させ、かつ前記変換された音声データを前記通信部を制御して送信させる制御部とを備えている。
【０００６】
また、本発明に係る緊急通報システムは、音声データの送信による緊急通報が可能に構成された移動端末と、当該移動端末から送信された前記音声データを受信可能に構成された通報先設備とを備えた緊急通報システムであって、前記移動端末は、所定の領域を特定可能な領域特定用データを記憶すると共に当該所定の領域に対応付けられた現在位置報知用データを記憶する記憶部と、前記現在位置報知用データを前記音声データに変換するデータ変換部と、前記音声データを送信する通信部と、取得した現在位置が属する前記所定の領域を前記領域特定用データに基づいて特定すると共に前記データ変換部を制御して当該特定した領域に対応付けられている前記現在位置報知用データを前記音声データに変換させ、かつ前記変換された音声データを前記通信部を制御して送信させる制御部とを備えて構成されている。
【０００７】
この移動端末および緊急通報システムでは、移動端末の制御部が、取得した現在位置が属する所定の領域を特定すると共にデータ変換部を制御して特定した領域に対応付けられている現在位置報知用データを音声データに変換させ、かつ通信部を制御して変換された音声データを送信させる。したがって、この移動端末および緊急通報システムによれば、予め録音されたメッセージを再生する従来の電話機とは異なり、移動端末の利用者（緊急通報者）が言葉を発せられない状況下であったとしても通報時における移動端末の現在位置を特定可能な情報を通報先（通報先設備のオペレータ）に確実に伝達することができる。
【０００８】
また、本発明に係る移動端末は、上記の移動端末において、所定のメッセージデータを送信するための送信スイッチを備え、前記記憶部が、前記メッセージデータを前記送信スイッチに対応付けて記憶し、前記制御部が、前記送信スイッチの操作に応じて前記データ変換部を制御して前記メッセージデータおよび前記現在位置報知用データを音声データに変換させると共に前記通信部を制御して当該音声データを送信させる。
【０００９】
この移動端末によれば、制御部が、送信スイッチの操作に応じてメッセージデータおよび現在位置報知用データを音声データに変換させて送信させることにより、警察署や消防署等に対する緊急通報時にダイヤルスイッチを操作することなく、送信スイッチを操作するだけで予め対応付けられたメッセージを音声データとして警察署や消防署に送信することができる。したがって、ダイヤル操作の間違いに起因する緊急通報の遅れ等を招くことなく、所望の通報先にダイヤルして適切なメッセージを確実に送信することができる。
【００１０】
さらに、本発明に係る移動端末によれば、複数の測位用衛星からの各測位用信号に基づいて現在位置を測位する測位処理部を備えている。
【００１１】
この移動端末によれば、複数の測位用衛星からの各測位用信号に基づいて現在位置を測位する測位処理部を備えたことにより、移動端末の現在位置を高精度で測位して、利用者の移動端末がいずれの領域に属しているかを正確に特定することができる。したがって、通報先に対して正確な現在位置（現在位置を特定可能な情報）を送信することができる。
【００１２】
また、本発明に係る移動端末は、上記の移動端末において、受信した電子メールのメッセージを表示する表示部を備え、前記記憶部が、当該移動端末に付与された電子メールアドレスについてのアドレスデータを記憶し、前記制御部が、前記記憶部に記憶されている前記アドレスデータを前記通信部を制御して前記音声データと共に送信させると共に、前記通信部を介して前記電子メールアドレス宛の電子メールを受信したときに当該受信した電子メールのメッセージを前記表示部に表示させる。
【００１３】
また、本発明に係る緊急通報システムは、上記の緊急通報システムにおいて、前記移動端末は、受信した電子メールのメッセージを表示する表示部を備え、前記記憶部が、当該移動端末に付与された電子メールアドレスについてのアドレスデータを記憶し、前記制御部が、前記通信部を制御して前記記憶部から読み出した前記アドレスデータを前記音声データと共に前記通報先設備に向けて送信させると共に当該通信部を介して前記電子メールアドレス宛の電子メールを受信したときに当該受信した電子メールのメッセージを前記表示部に表示させ、前記通報先設備が、前記移動端末から送信された前記アドレスデータに対応する前記電子メールアドレスに宛てて、緊急通報を受信した旨のメッセージを含む前記電子メールを送信可能に構成されている。
【００１４】
この移動端末および緊急通報システムによれば、移動端末の制御部が、通信部を制御してアドレスデータを音声データと共に送信させると共に、通信部を介して受信した電子メールのメッセージを表示部に表示させるように構成され、通報先設備が移動端末から送信されたアドレスデータに対応する電子メールアドレスに宛てて、緊急通報を受信した旨のメッセージを含む電子メールを送信するように構成したことにより、耳の不自由な利用者に対しても通報内容が正常に受領されたか否かを容易に認識させることができる。
【発明を実施するための最良の形態】
【００１５】
以下、本発明に係る移動端末および緊急通報システムの最良の形態について、添付図面を参照して説明する。図１に示す緊急通報システム１０は、携帯端末１，１・・から警察署や消防署等に緊急通報を行うための通報システムであって、複数の携帯端末１，１・・、複数の無線基地局２，２・・、管理センター設備３、および複数の通報先設備４，４・・を備えて構成されている。この場合、各無線基地局２，２・・および管理センター設備３は、緊急通報システム１０専用（携帯電話回線網専用）の専用ネットワークＮ１を介して相互に接続されている。また、管理センター設備３および各通報先設備４，４・・は、音声回線ネットワークＮ２（通話時に音声データＤｖを送受信するための汎用のネットワーク）やパケット交換ネットワークＮ３（後述するアドレスデータＤａおよび電子メールデータＤｍなどを送受信可能な汎用のネットワーク）を介して相互に接続されている。なお、同図では、２台の携帯端末１、２つの無線基地局２、および１つの通報先設備４のみを図示している。
【００１６】
携帯端末１は、本発明における移動端末の一例であって、図２に示すように、無線通信部１１、ＧＰＳ処理部１２、記憶部１３、表示部１４、操作部１５、データ変換部１６および制御部１７を備えている。無線通信部１１は、制御部１７と相俟って本発明における通信部を構成し、制御部１７の制御に従って無線基地局２との間で、音声データＤｖ、アドレスデータＤａおよび電子メールデータＤｍなどを送受信する。ＧＰＳ処理部１２は、本発明における測位処理部に相当し、図１に示すＧＰＳ衛星９，９・・（本発明における測位用衛星）からそれぞれ出力されているＧＰＳ信号Ｓｇ（本発明における測位用信号）を受信すると共に、受信したＧＰＳ信号Ｓｇに基づいて携帯端末１の現在位置を測位してその測位結果を制御部１７に出力する。なお、ＧＰＳ処理部１２による現在位置の測位原理については公知のため、その説明を省略する。
【００１７】
記憶部１３は、制御部１７の動作プログラムを記憶すると共に、各携帯端末１，１・・に対して個別的に付与された電子メールアドレスについてのアドレスデータＤａを記憶する。また、記憶部１３は、領域特定用データＤ１、現在位置報知用データＤ２およびメッセージデータＤ３などを記憶する。この場合、領域特定用データＤ１は、携帯端末１の利用者等によって予め設定された領域を特定可能な情報で構成されている。具体的には、図７に示すように、例えば、利用者の自宅Ｘ１の周囲（一例として、自宅Ｘ１の位置を中心とする半径３０ｍの範囲内）を対象とする領域Ａ０を特定可能な情報、自宅Ｘ１の位置を中心とする半径５００ｍの範囲内）を対象とする領域Ａ１を特定可能な情報、自宅Ｘ１と学校Ｘ２との間の通学路Ｒの近傍（一例として、通学路Ｒを中心とする幅４０ｍの範囲内）を対象とする領域Ａ２を特定可能な情報、および病院Ｘ３の周囲（一例として、病院Ｘ３の位置を中心とする半径３００ｍの範囲内）を対象とする領域Ａ３を特定可能な情報などを含んで領域特定用データＤ１が構成されている。
【００１８】
また、現在位置報知用データＤ２は、利用者が設定した上記の領域Ａ０〜Ａ３などに対応付けられて、例えば、領域Ａ０については「自宅」、領域Ａ１については「自宅周辺」、領域Ａ２については「通学路」、領域Ａ３については「病院周辺」などのように、携帯端末１の現在位置を特定させるためのメッセージ（一例として、文字情報）を含んで構成されている。また、メッセージデータＤ３は、携帯端末１の利用者（または、その介助者）によって予め登録されたメッセージ（一例として、文字情報）で構成されている。具体的には、利用者の住所、氏名、性別、年齢および病歴等の個人情報と、「病状が悪化しました。救急車の出動を要請します。」や「不審者に追われています。助けて下さい。」等の通報内容を示すメッセージを含んでメッセージデータＤ３が構成されている。
【００１９】
表示部１４は、一例としてカラー液晶表示器で構成されて、図３に示すように、通報先設備４等から送信された電子メールデータＤｍの内容（この場合、文字情報）を表示する。操作部１５は、上記の各種メッセージを登録するための操作スイッチや、携帯端末１を通常の携帯電話機として使用する際に使用するダイヤルスイッチ等を備えている。また、操作部１５は、図３に示すように、警察に通報するための緊急通報スイッチ１５ａ、消防署（救急）に通報するための緊急通報スイッチ１５ｂ、および消防署（消防）に通報するための緊急通報スイッチ１５ｃを備えている。この場合、緊急通報スイッチ１５ａ〜１５ｃが本発明における「送信スイッチ」に相当し、これら緊急通報スイッチ１５ａ〜１５ｃのそれぞれに対応付けられたメッセージデータＤ３およびダイヤル先などの情報が記憶部１３に記憶されている。
【００２０】
データ変換部１６は、制御部１７の制御に従って現在位置報知用データＤ２およびメッセージデータＤ３など（この例では文字情報）を音声データＤｖにデータ変換する。制御部１７は、操作部１５から出力された操作信号に従い、無線通信部１１、ＧＰＳ処理部１２、表示部１４およびデータ変換部１６を制御する。また、制御部１７は、後述するように、図８に示す緊急通報処理５０を実行してＧＰＳ処理部１２による測位結果と記憶部１３に記憶されている領域特定用データＤ１とに基づいて携帯端末１がいずれの領域Ａ０，Ａ１・・に属しているか（いずれの領域Ａ０，Ａ１・・内に位置しているか）を特定すると共に、データ変換部１６を制御して、特定した領域に対応付けられている現在位置報知用データＤ２等を音声データＤｖにデータ変換させる。また、データ変換部１６は、無線通信部１１を介して受信した電子メールデータＤｍに基づき、通報先設備４から送信されたメッセージ（文字情報）を表示部１４に表示させる。
【００２１】
無線基地局２は、緊急通報システム１０の利用可能エリア内（携帯端末１，１・・の通話エリア内）に設置されて携帯端末１，１・・との間で無線通信を実行する。具体的には、図４に示すように、無線基地局２は、無線通信部２１、通信モデム２２、制御装置２３および記憶部２４を備えている。無線通信部２１は、制御装置２３の制御に従い、携帯端末１との間で音声データＤｖ、アドレスデータＤａおよび電子メールデータＤｍなどを送受信する。通信モデム２２は、制御装置２３の制御に従い、専用ネットワークＮ１を介して管理センター設備３との間で音声データＤｖ、アドレスデータＤａおよび電子メールデータＤｍなどを送受信する。制御装置２３は、無線基地局２を総括的に制御する。記憶部２４は、制御装置２３の動作プログラムなどを記憶する。
【００２２】
管理センター設備３は、携帯端末１，１・・および無線基地局２，２・・などからなる携帯電話システムを総括的に管理するための設備であって、図５に示すように、通信モデム３１，３３、交換器３２、制御装置３４および記憶部３５を備えている。通信モデム３１は、専用ネットワークＮ１を介して無線基地局２との間で音声データＤｖ、アドレスデータＤａおよび電子メールデータＤｍなどを送受信する。交換器３２は、音声回線ネットワークＮ２を介して通報先設備４との間で音声データＤｖを送受信する。通信モデム３３は、パケット交換ネットワークＮ３を介して通報先設備４との間でアドレスデータＤａおよび電子メールデータＤｍなどを送受信する。なお、電子メールデータＤｍの送受信については、実際には、パケット交換ネットワークＮ３に接続されているメールサーバ５を介して実施されるが、メールサーバ５による電子メールデータＤｍの配信処理については公知のため、メールサーバ５に関する説明を省略する。制御装置３４は、管理センター設備３を総括的に制御する。記憶部３５は、制御装置３４の動作プログラムなどを記憶する。
【００２３】
通報先設備４は、警察署や消防署等に設置されて携帯端末１，１・・の利用者からの通報を受信するための設備であって、図６に示すように、交換器４１、通信モデム４２、制御装置４３、記憶部４４およびパーソナルコンピュータ４５を備えている。交換器４１は、音声回線ネットワークＮ２を介して管理センター設備３との間で音声データＤｖを送受信する。通信モデム４２は、パケット交換ネットワークＮ３を介して管理センター設備３との間でアドレスデータＤａおよび電子メールデータＤｍなどを送受信する。制御装置４３は、携帯端末１から送信された音声データＤｖに基づき、図示しないヘッドフォンから音声を出力させる。また、制御装置４３は、携帯端末１から送信されたアドレスデータＤａをパーソナルコンピュータ４５に転送する。さらに、制御装置４３は、パーソナルコンピュータ４５から出力された電子メールデータＤｍを通信モデム４２に送信させる。記憶部４４は、制御装置４３の動作プログラムなどを記憶する。パーソナルコンピュータ４５は、制御装置４３から転送されたアドレスデータＤａの電子メールアドレス（すなわち、音声データＤｖを送信した携帯端末１）に宛てた電子メールデータＤｍを制御装置４３に出力して携帯端末１に向けて送信させる。この場合、電子メールデータＤｍのメール本文等については、例えばオペレータがキーボードを操作することによってパーソナルコンピュータ４５上で入力され、入力結果とアドレスデータＤａとに基づいて電子メールデータＤｍが生成される。
【００２４】
次に、緊急通報システム１０の全体的な動作について、図面を参照して説明する。なお、以下の説明では、一例として、携帯端末１の利用者が聾唖者であるものとし、前述した領域特定用データＤ１および現在位置報知用データＤ２に関する登録（領域Ａ０，Ａ１・・等の設定と、各領域Ａ０，Ａ１・・等に対応付けた現在位置報知用データＤ２の登録など）や、メッセージデータＤ３の登録等については、既に完了しているものとする。例えば、利用者が図７に示す自宅Ｘ１において病状が悪化して救急車の出動を要請する（消防署に緊急通報する）際には、携帯端末１の緊急通報スイッチ１５ｂを操作する。これに伴い、携帯端末１では、制御部１７が図８に示す緊急通報処理５０を開始する。この緊急通報処理５０では、制御部１７は、まず、ＧＰＳ処理部１２を制御して携帯端末１の現在位置を測位させる（ステップ５１）。これに応じて、ＧＰＳ処理部１２は、各ＧＰＳ衛星９，９・・からのＧＰＳ信号Ｓｇ，Ｓｇ・・の受信を開始して現在位置（緯度、経度および高度）を測位し、測位結果を制御部１７に出力する。
【００２５】
次いで、制御部１７は、ＧＰＳ処理部１２による測位結果と、記憶部１３に記憶されている領域特定用データＤ１とに基づいて、携帯端末１の現在位置がいずれの領域Ａ０，Ａ１・・に属しているか（いずれの領域Ａ０，Ａ１・・内に携帯端末１が位置しているか）を特定する（ステップ５２）。この際に、制御部１７は、ＧＰＳ処理部１２による測位結果に基づき、自宅Ｘ１を中心とする半径３０ｍの領域Ａ０内に携帯端末１が位置している（現在位置が領域Ａ０に属している）と特定する。続いて、制御部１７は、ステップ５２で特定した領域（この例では、領域Ａ０）に対応付けられている現在位置報知用データＤ２（この例では、「自宅」という文字情報）を特定すると共に（ステップ５３）、操作されたスイッチ（この例では、緊急通報スイッチ１５ｂ）に対応付けられているメッセージデータＤ３を特定する（ステップ５４）。この場合、緊急通報スイッチ１５ｂに対しては、一例として、利用者の住所、氏名、性別、年齢および病歴等の個人情報を表す文字情報と、「病状が悪化しました。救急車の出動を要請します。」という通報内容を表すメッセージ（文字情報）についてのメッセージデータＤ３が対応付けられている。
【００２６】
続いて、制御部１７は、データ変換部１６を制御して、ステップ５３で特定した現在位置報知用データＤ２と、ステップ５４で特定したメッセージデータＤ３とを音声データＤｖに変換させる（音声データＤｖの生成：ステップ５５）。これにより、例えば「○○町○○丁目の○○（氏名）、男性、３０歳です。耳が不自由なので話すことができません。現在、自宅に居ます。病状が悪化しました。救急車の出動を要請します。」との音声データＤｖが生成される。この場合、生成された音声データＤｖのうちの「○○町○○丁目の○○（氏名）、男性、３０歳です。耳が不自由なので話すことができません。」の部位は、メッセージデータＤ３（個人情報）に基づいて生成される。また、「現在、自宅に居ます。」のうちの「自宅」の部位は、現在位置報知用データＤ２に基づいて生成され、その他の部位は、メッセージデータＤ３に基づいて生成される。さらに、「病状が悪化しました。救急車の出動を要請します。」の部位は、メッセージデータＤ３に基づいて生成される。次いで、制御部１７は、通報先（この例では、消防署「１１９番」）にダイヤルする（回線接続：ステップ５６）。続いて、制御部１７は、通報先との回線接続が確立したときに、無線通信部１１を制御してステップ５５で生成した音声データＤｖを送信させる。同時に、制御部１７は、記憶部１３からアドレスデータＤａを読み出して送信させる（ステップ５７）。
【００２７】
この際に、消防署に設置されている通報先設備４では、無線基地局２、専用ネットワークＮ１、管理センター設備３および音声回線ネットワークＮ２を介して携帯端末１から送信された音声データＤｖを受信したときに、制御装置４３が、音声データＤｖに基づく音声（この例では、「○○町○○丁目の○○（氏名）、男性、３０歳です。耳が不自由なので話すことができません。現在、自宅に居ます。病状が悪化しました。救急車の出動を要請します。」との音声）を図示しないヘッドフォンから出力させる。また、制御装置４３は、無線基地局２、専用ネットワークＮ１、管理センター設備３およびパケット交換ネットワークＮ３を介して携帯端末１から送信されたアドレスデータＤａをパーソナルコンピュータ４５に転送する。これにより、ヘッドフォンから出力された上記のメッセージを聞いたオペレータは、聾唖者から救急車の出動要請があった旨を理解して、携帯端末１の利用者の自宅（この例では、「○○町○○丁目の○○（氏名）宅」）に向けて救急車を出動させる。また、オペレータは、パーソナルコンピュータ４５を操作することにより、緊急通報を正常に受領した旨のメッセージ（メール本文）を入力する。この際に、パーソナルコンピュータ４５は、制御装置４３から転送されたアドレスデータＤａと、オペレータによって入力されたメッセージとに基づいて携帯端末１宛ての電子メールデータＤｍを生成して制御装置４３に出力する。これに応じて、制御装置４３が通信モデム４２を制御して、出力された電子メールデータＤｍを携帯端末１に宛てて送信させる。
【００２８】
一方、音声データＤｖおよびアドレスデータＤａの送信が完了した携帯端末１では、制御部１７が、消防署（通報先設備４）から送信された電子メールデータＤｍの着信を監視する（ステップ５８）。また、消防署からの電子メールデータＤｍを着信した際には、制御部１７は、無線通信部１１を制御して電子メールデータＤｍを受信すると共に、受信した電子メールデータＤｍのメッセージを表示部１４に表示させる（ステップ５９）。これにより、図３に示すように、消防署から送信された電子メールのメッセージ（この例では、「緊急通報を受信しました。救急車を出動させますので、暫くお待ち下さい。○○○消防署」とのメッセージ）が表示部１４に表示される。この結果、耳が不自由である携帯端末１の利用者は、緊急通報スイッチ１５ｂの操作による消防署への緊急通報が正常に行われた旨を認識することができる。
【００２９】
このように、この携帯端末１および緊急通報システム１０では、携帯端末１の制御部１７が携帯端末１の現在位置が属する所定の領域を特定すると共にデータ変換部１６を制御して特定した領域に対応付けられている現在位置報知用データＤ２を音声データＤｖに変換させ、かつ無線通信部１１を制御して、変換された音声データＤｖを送信させる。したがって、この携帯端末１および緊急通報システム１０によれば、予め録音されたメッセージを再生する従来の電話機とは異なり、携帯端末１の利用者（緊急通報者）が言葉を発せられない状況下であったとしても通報時における携帯端末１の現在位置を特定可能な情報を通報先（通報先設備４のオペレータ）に確実に伝達することができる。
【００３０】
また、この携帯端末１および緊急通報システム１０によれば、制御部１７が、緊急通報スイッチ１５ａ〜１５ｃの操作に応じてメッセージデータＤ３および現在位置報知用データＤ２を音声データＤｖに変換させて送信させることにより、警察署や消防署等に対する緊急通報時にダイヤルスイッチを操作することなく、緊急通報スイッチ１５ａ〜１５ｃを操作するだけで予め対応付けられたメッセージを音声データＤｖとして警察署や消防署に送信することができる。したがって、ダイヤル操作の間違いに起因する緊急通報の遅れ等を招くことなく、所望の通報先にダイヤルして適切なメッセージを確実に送信することができる。
【００３１】
さらに、この携帯端末１および緊急通報システム１０によれば、複数のＧＰＳ衛星９，９・・からの各ＧＰＳ信号Ｓｇ，Ｓｇ・・に基づいて現在位置を測位するＧＰＳ処理部１２を備えたことにより、携帯端末１の現在位置を高精度で測位して、利用者の携帯端末１がいずれの領域に属しているかを正確に特定することができる。したがって、通報先に対して正確な現在位置（現在位置を特定可能な情報）を送信することができる。
【００３２】
また、この携帯端末１および緊急通報システム１０によれば、携帯端末１の制御部１７が、無線通信部１１を制御してアドレスデータＤａを音声データＤｖと共に送信させると共に、無線通信部１１を介して受信した電子メールデータＤｍのメッセージを表示部１４に表示させるように構成され、通報先設備４が携帯端末１から送信されたアドレスデータＤａに対応する電子メールアドレスに宛てて、緊急通報を受信した旨のメッセージを含む電子メールデータＤｍを送信するように構成したことにより、耳の不自由な利用者に対しても通報内容が正常に受領されたか否かを容易に認識させることができる。
【００３３】
なお、本発明は、上記の構成に限定されない。例えば、上記の携帯端末１のような携帯電話タイプのような移動端末に限定されず、本発明における移動端末には、ＰＨＳタイプの移動端末や、ＰＤＡ（Personal Digital Assistant）タイプの移動端末などの各種移動端末が含まれる。また、上記の緊急通報システム１０では、携帯端末１がＧＰＳ処理部１２の測位結果に基づいて現在位置データを生成して通報先設備４に送信する構成が採用されているが、本発明はこれに限定されず、例えば携帯電話位置測位システムのように携帯端末１と周辺の各無線基地局２との間の電界強度に基づいて管理センター設備３が携帯端末１の現在位置を特定して携帯端末１に現在位置情報を送信するように構成することもできる。さらに、本発明における通報先設備の設置場所は、上記のような警察署や消防署に限定されず、任意の場所に設置することができる。
【００３４】
また、上記の携帯端末１では、緊急通報スイッチ１５ａ〜１５ｃの操作に応じて制御部１７が緊急通報処理５０を開始して通報先設備４に対する音声データＤｖ等の送信を実行しているが、本発明に係る移動端末の構成はこれに限定されない。例えば、通常のダイヤル操作（例えば「１」、「１」、「９」および「発信」の操作）の後に、メッセージ送信開始操作を行うことで、前述した緊急通報処理５０が実行されて（この例では、ステップ５６の処理が除かれる）、通報先設備４に音声データＤｖ等が送信されるように構成することもできる。また、上記の携帯端末１では、音声データＤｖとは別個にアドレスデータＤａを通報先設備４に送信しているが、アドレスデータＤａについてもデータ変換部１６によって音声データＤｖに変換させて、現在位置報知用データＤ２、メッセージデータＤ３およびアドレスデータＤａを変換した音声データＤｖを通報先設備４に送信するように構成することもできる。さらに、音声データＤｖによる現在位置についての情報とは別個に、ＧＰＳ処理部１２による測位結果そのもの（緯度、経度および高度を表すデータ）を送信可能に構成することもできる。
【図面の簡単な説明】
【００３５】
【図１】緊急通報システム１０の構成を示すブロック図である。
【図２】携帯端末１の構成を示すブロック図である。
【図３】携帯端末１の表示部１４等を示す正面図である
【図４】無線基地局２の構成を示すブロック図である。
【図５】管理センター設備３の構成を示すブロック図である。
【図６】通報先設備４の構成を示すブロック図である。
【図７】領域Ａ０〜Ａ３等と携帯端末１の現在位置との関係の一例を示す図である。
【図８】緊急通報処理５０のフローチャートである。
【符号の説明】
【００３６】
１  携帯端末、４  通報先設備、９  ＧＰＳ衛星、１０  緊急通報システム、１１  無線通信部、１２  ＧＰＳ処理部、１３  記憶部、１４  表示部、１５  操作部、１５ａ〜１５ｃ  緊急通報スイッチ、１６  データ変換部、１７  制御部、４１  交換器、４３  制御装置、４４  記憶部、４５  パーソナルコンピュータ、５０  緊急通報処理、Ａ０〜Ａ３  領域、Ｄ１  領域特定用データ、Ｄ２  現在位置報知用データ、Ｄ３  メッセージデータ、Ｄａ  アドレスデータ、Ｄｍ  電子メールデータ、Ｄｖ  音声データ、Ｓｇ  ＧＰＳ信号
【図１】
2006148394.tif 000003
【図２】
2006148394.tif 000004
【図３】
2006148394.tif 000005
【図４】
2006148394.tif 000006
【図５】
2006148394.tif 000007
【図６】
2006148394.tif 000008
【図７】
2006148394.tif 000009
【図８】
2006148394.tif 000010